(57)【要約】【課題】作業性を向上させることができるカラット重量測定器を提供すること。【解決手段】カラット重量測定器１は、宝石の大きさ寸法を測定する測定部２と、この測定部２により測定された値からカラット重量を求める演算部３と、この演算部３により求められたカラット重量を表示する表示部４とを備えている。演算部３は、宝石の比重及びカット係数を記憶する記憶手段３１と、記憶手段３１から所定の比重及びカット係数を選択する選択手段３２と、選択手段３２により選択された比重及びカット係数、測定部２の検出手段２５により検出された値に基づきカラット重量を演算する演算手段３３とを備えている。【選択図】　図４
2004101426.tif 000002
【特許請求の範囲】
【請求項１】
カットが施され、クラウン部とパビリオン部とガードル部とを有する宝石のカラット重量を測定するカラット重量測定器であって、
宝石の大きさ寸法を測定する測定部と、この測定部により測定された値からカラット重量を求める演算部と、この演算部により求められたカラット重量を表示する表示部とを備え、
前記測定部は、ベースと、このベースの長手方向に沿って移動可能に設けられた可動部材と、前記ベース及び可動部材に対向して設けられ、前記宝石のガードル部の互いに直交する第１の径及び第２の径を測定する一対の第１のジョーと、前記ベース及び可動部材に対向して設けられ、前記宝石の深さ寸法を測定するためのピンが先端部に形成された一対の第２のジョーと、前記ベースに対する可動部材の移動量を検出する検出手段とを備え、
前記演算部は、宝石の比重及び形状に基づくカット係数を選択する選択手段と、前記選択手段により選択された比重及びカット係数と前記測定部の検出手段により検出された値とに基づいて宝石のカラット重量を算出する演算手段とを備えていることを特徴とするカラット重量測定器。
【請求項２】
請求項１に記載のカラット重量測定器において、
前記演算部は、複数種類の宝石の比重及び複数のカット係数を記憶する記憶手段を有し、
前記選択手段は前記記憶手段から所定の宝石の比重及びカット係数を選択することを特徴とするカラット重量測定器。
【請求項３】
請求項１または２に記載のカラット重量測定器において、
前記演算部は、宝石のカット状態に応じた補正値を選択する補正値選択手段と、
前記補正値選択手段により選択した補正値に基づき、前記演算手段による演算結果を補正する補正手段とを備え、
前記表示部は、補正後の演算結果を表示することを特徴とするカラット重量測定器。
【請求項４】
請求項３に記載のカラット重量測定器において、
前記演算部は前記宝石のカット状態に応じた複数の補正値を予め記憶する記憶手段を有し、
前記補正値選択手段は、前記記憶手段から所定の補正値を選択することを特徴とするカラット重量測定器。
【請求項５】
請求項１から４の何れかに記載のカラット重量測定器において、
前記測定部のベースの一端に設けられ、前記表示部が形成された略直方体形状のケースを備え、
前記第１及び第２のジョーの長手方向と直交する前記ケースの側面には、前記可動部材を移動させるための操作部が設けられていることを特徴とするカラット重量測定器。
【発明の詳細な説明】
【０００１】
【発明の属する技術分野】
本発明は、宝石のカラット重量を測定するためのカラット重量測定器に関する。
【０００２】
【背景技術】
宝石の品質は、カット、色等の様々な観点から評価されるが、そのうちの一つに宝石の重量（カラット重量）による評価がある。このカラット重量による評価は全世界で広く採用されている。
宝石のカラット重量は、宝石を電子天秤等で秤量することにより測定される。しかし、宝石が既にリング等の台座に取り付けられていると、電子天秤等で宝石自身の重量を秤量することができない場合がある。
この場合には、ダイアル表示式のゲージ等で宝石の大きさ寸法（深さ寸法、ガードル部の径寸法）を測定し、これらを掛け合わせた値に、宝石の比重、カットの係数を掛け合わせることで、カラット重量を算出している。
このカラット重量の計算を容易かつ迅速に行うために、カラット換算表を作り、宝石の大きさ寸法の測定結果をこの換算表に当てはめることで、カラット重量を算出できるようにしている（例えば、非特許文献１参照）。
【０００３】
【非特許文献１】
Ｋａｓｓｏｙ，　Ｉｎｃ．　、”Ｋａｓｓｏｙ’ｓ　ｊｅｗｅｌｅｒｓ　ｇａｕｇｅｓ”、［ｏｎｌｉｎｅ］、［平成１４年９月４日検索］、インターネット＜ＵＲＬ：ｈｔｔｐ：／／ｗｗｗ．ｋａｓｓｏｙ．ｃｏｍ．／ｇａｕｇｅｓ０１．ｈｔｍ＞
【０００４】
【発明が解決しようとする課題】
しかし、このようなカラット換算表を用いた方法では、カラット換算表への測定数値の入れ間違い等が起こりやすく、計算を慎重に行わなければならないので、作業性の向上を図ることが困難である。
【０００５】
本発明の目的は、作業性を向上させることができるカラット重量測定器を提供することである。
【０００６】
【課題を解決するための手段】
そのため、本発明は以下の構成を採用して前記目的を達成しようとするものである。
具体的には、本発明のカラット重量測定器は、カットが施され、クラウン部とパビリオン部とガードル部とを有する宝石のカラット重量を測定するカラット重量測定器であって、宝石の大きさ寸法を測定する測定部と、この測定部により測定された値からカラット重量を求める演算部と、この演算部により求められたカラット重量を表示する表示部とを備え、前記測定部は、ベースと、このベースの長手方向に沿って移動可能に設けられた可動部材と、前記ベース及び可動部材に対向して設けられ、前記宝石のガードル部の互いに直交する第１の径及び第２の径を測定する一対の第１のジョーと、前記ベース及び可動部材に対向して設けられ、前記宝石の深さ寸法を測定するためのピンが先端部に形成された一対の第２のジョーと、前記ベースに対する可動部材の移動量を検出する検出手段とを備え、
前記演算部は、宝石の比重及び形状に基づくカット係数を選択する選択手段と、前記選択手段により選択された比重及びカット係数と前記測定部の検出手段により検出された値とに基づいて宝石のカラット重量を算出する演算手段とを備えていることを特徴とする。
【０００７】
ここで、宝石の比重及び形状に基づくカット係数は、予め記憶されていてもよく、また、外部から入力されるものであってもよい。
また、表示部としては、例えば、液晶等の画面に表示するものであってもよく、紙等に打ち出して表示するものであってもよい。
【０００８】
この構成の本発明では、宝石の寸法の測定と、カラット重量の計算との二つの操作をカラット重量測定器で行うことができる。そのため、ゲージ等で宝石の大きさ寸法を測定した後、換算表を用いてカラット重量を算出する従来の方法に比べ、作業性の向上を図ることができる。
また、従来のようにカラット換算表による換算を行う必要がないので、測定値の入れ間違いや計算ミスを防止でき、得られたカラット重量の値の信頼性を向上させることができる。
【０００９】
通常、宝石が取り付けられた台座の底面には、孔が形成されている。この孔に一方の第２の測定ジョーの先端部に設けられたピンを挿入し、台座にはめ込まれている宝石のパビリオン部にピンを当接させる。そして、他方の第２のジョーのピンを宝石のクラウン部に当接させる。これにより、宝石が台座に取り付けられている場合であっても、宝石の深さ寸法を正確に測定することが可能となる。また、一対の第１の測定ジョーにより宝石を挟み込み測定することができるので、第１の径及び第２の径も正確に測定することができる。このように、本発明では、先端部にピンが設けられた第２のジョーと第１のジョーとを有しているので、台座に取り付けられている宝石のカラット重量を高い精度で測定することができる。
【００１０】
この際、前記演算部は、複数種類の宝石の比重及び複数のカット係数を記憶する記憶手段を有し、前記選択手段は前記記憶手段から所定の宝石の比重及びカット係数を選択することが好ましい。
記憶手段に宝石の比重等が記憶されておらず、測定時に比重等を入力する場合には、宝石の比重等を調べたり、入力したりする手間を要する。また、記憶手段に一種類の宝石の比重等しか記憶されていない場合には、特定の宝石のカラット重量しか測定できず、不便である。
本発明では、予め記憶手段に複数種類の宝石の比重等を記憶させているので、測定器を様々な種類の宝石に使用することができ、カラット重量測定器の利便性を向上させることができる。
【００１１】
さらに、前記演算部は、宝石のカット状態に応じた補正値を選択する補正値選択手段と、前記補正値選択手段により選択した補正値に基づき、前記演算手段による演算結果を補正する補正手段とを備え、前記表示部は、補正後の演算結果を表示することが好ましい。
より正確なカラット重量を測定するには、宝石のカット状態を考慮しなければならない。本発明のように補正値選択手段及び補正手段を設けることで、算出されるカラット重量の値の信頼性をさらに向上させることができる。
【００１２】
また、前記演算部は前記宝石のカット状態に応じた複数の補正値を予め記憶する記憶手段を有し、前記補正値選択手段は、前記記憶手段から所定の補正値を選択することが好ましい。
補正値を入力し、これを補正値選択手段に選択させ、補正手段により補正を行わせてもよいが、この場合には入力の手間がかかる。これに対し、本発明では、複数の補正値を予め記憶手段に記憶させておくことで、入力の手間を省くことができ、カラット重量測定器の使いやすさを向上させることができる。
【００１３】
また、前記測定部のベースの一端に設けられ、前記表示部が形成された略直方体形状のケースを備え、前記第１及び第２のジョーの長手方向と直交する前記ケースの側面には、前記可動部材を移動させるための操作部が設けられていることが好ましい。
ケースの側面に可動部材の操作部を設けたため、一方の手でケースを把持しながら、可動部材の移動を行うことが可能となる。そのため、他方の手で宝石を固定させることができるので、宝石の大きさ寸法の測定が行いやすくなる。
【００１４】
【発明の実施の形態】
以下、本発明の実施形態を図面に基づいて説明する。
図１には、本実施形態のカラット重量測定器１が示されている。このカラット重量測定器１は、例えば、台座であるリング１１０に取り付けられた宝石１００のカラット重量を測定するものである。この宝石１００は、図２及び図３に示すようにカットが施され、クラウン部１０１とパビリオン部１０２とガードル部１０３とを有し、パビリオン部１０２はリング１１０に埋め込まれ、ガードル部１０３よりも上のクラウン部１０１はリング１１０から突出する。
図１及び図４に示すように、カラット重量測定器１は、宝石１００の大きさ寸法を測定する測定部２と、この測定部２により測定された値からカラット重量を求める演算部３と、この演算部３により求められたカラット重量を表示する表示部４とを備えている。
【００１５】
測定部２は、ベース２１と、一対の第１のジョー２２Ａ，２２Ｂと、一対の第２のジョー２３Ａ，２３Ｂと、ベース２１の長手方向へ移動可能に設けられた可動部材２４と、検出手段２５とを備えている。
第１のジョー２２Ａ，２２Ｂは、宝石１００のガードル部１０３の互いに直交する第１の径Ｗ及び第２の径Ｌ（図２参照）を測定するものである。
第２のジョー２３Ａ，２３Ｂは、宝石１００の深さ寸法Ｄ（図３参照）を測定するものである。第２のジョー２３Ａ，２３Ｂの先端部には、ベース２１の長手方向と平行に延びるピン２３１Ａ，２３１Ｂが対向配置されて設けられている。ピン２３１Ａの長さ寸法は、ピン２３１Ｂの長さ寸法よりも短い。
【００１６】
このようなジョー２２Ａ，２２Ｂ，２３Ａ，２３Ｂのうち、第１のジョー２２Ａ及び第２のジョー２３Ａは一体成形されており、ベース２１の基端側に固定されている。
また、第１のジョー２２Ｂ及び第２のジョー２３Ｂも一体成形されており、それぞれ第１のジョー２２Ａ及び第２のジョー２３Ａに対向するように可動部材２４に取り付けられている。この一体化された第１のジョー２２Ｂ及び第２のジョー２３Ｂには、カバー２４１が取り付けられており、このカバー２４１の表面には凸部２４２が形成されている。
【００１７】
検出手段２５は、可動部材２４の移動量を検出するものであり、センサ２５１と、復調回路２５２と、計数回路２５３とを有している。
センサ２５１は、可動部材２４に設けられている。このセンサ２５１としては、例えば、ベース２１の長手方向に沿って一定ピッチ間隔で設けられた複数の電極（スケール）と静電容量結合する複数の電極を有し、可動部材２４の移動に伴って変化する静電容量から可動部材２４の移動量を検出する静電容量式測長センサ、あるいは、他の公知のセンサを利用できる。センサ２５１からの出力は、復調回路２５２を介し、計数回路２５３において可動部材２４の移動量に対応する数のパルス数として計数されたのち、計数値として検出される。
【００１８】
演算部３は、宝石の比重及びカット係数を記憶する記憶手段３１と、記憶手段３１から所定の比重及びカット係数を選択する選択手段３２と、選択手段３２により選択された比重及びカット係数、測定部２の検出手段２５により検出された値に基づきカラット重量を演算する演算手段３３とを備えている。
【００１９】
記憶手段３１は、例えば、ＲＯＭ（Ｒｅａｄ　Ｏｎｌｙ　Ｍｅｍｏｒｙ）またはＲＡＭ（ＲａｎｄｏｍＡｃｃｅｓｓ　Ｍｅｍｏｒｙ）などであり、複数種類の宝石の比重及びカット係数を記憶している。例えば、本実施形態では、ダイアモンド（ＤＡ）、エメラルド（ＥＭ）、アレキサンドライト（ＡＬ）、コランダム（ＣＲ）の四種類の宝石の比重が記憶されている。また、ラウンドブリリアントカット、スクエアカット、マーキースカット、ペアーシェイプカット、オーバルカット、カボションカットの６種類のカットに基づくカット係数が記憶されている。
【００２０】
選択手段３２は、記憶手段３１に記憶された複数種類の比重及びカット係数から所定のものを選択する機能を有し、後述するＦｕｎｃｔｉｏｎ／Ｅｎｔｅｒスイッチ５１１及びＳｅｌｅｃｔ／Ｃａｎｃｅｌスイッチ５１２を含んで構成されている。
演算手段３３は演算回路３３１を有し、計数値、比重及びカット係数を次の式（１）に入力して演算を行う。
カラット重量＝宝石の比重×カット係数×第１の径Ｗ×第２の径Ｌ×深さ寸法Ｄ・・・（１）
【００２１】
さらに、演算部３は、宝石１００のカット状態に応じた複数の補正値を予め記憶する記憶手段３４と、この記憶手段３４から補正値を選択する補正値選択手段３５と、この補正値選択手段３５により選択された補正値に基づきカラット重量を補正する補正手段３６とを有している。
記憶手段３４には、−２％、３％、５％、８％の４種類の補正値が記憶されている。
補正値選択手段３５は、４種類の補正値から一種類の補正値を選択するものであり、選択手段３２と同様に、後述するＦｕｎｃｔｉｏｎ／Ｅｎｔｅｒスイッチ５１１及びＳｅｌｅｃｔ／Ｃａｎｃｅｌスイッチ５１２を含んで構成されている。
また、補正手段３６は、演算手段３３により算出されたカラット重量に選択した補正値を加算するものであり、加算回路３６１を備えている。
【００２２】
表示部４は、演算手段３３により算出されたカラット重量及び補正手段３６により補正されたカラット重量等を表示するものであり、液晶の画面を有している。
【００２３】
このような構成のカラット重量測定器１は、ベース２１の先端に取り付けられたケース５を備えており、このケース５に前述した演算部３及び測定部２の検出手段２５が収納されている。ケース５は、略直方体形状であり、第１のジョー２２Ａ，２２Ｂ及び第２のジョー２３Ａ，２３Ｂの長手方向と平行な表面５１及び裏面（図示略）と、前記長手方向と直交する２つの側面とを有している。
【００２４】
表面５１には、前述した表示部４が形成され、また、握りやすさを向上するためシボパターンが形成されている。さらに、この表面５１には、Ｆｕｎｃｔｉｏｎ／Ｅｎｔｅｒスイッチ５１１及びＳｅｌｅｃｔ／Ｃａｎｃｅｌスイッチ５１２等の操作スイッチが設けられている。Ｆｕｎｃｔｉｏｎ／Ｅｎｔｅｒスイッチ５１１及びＳｅｌｅｃｔ／Ｃａｎｃｅｌスイッチ５１２を操作することで宝石１００の比重、カット係数、補正値を選択し、確定することができる。
【００２５】
２つの側面のうち、第２のジョー２３Ａ，２３Ｂ側の側面（図示略）には、クランプねじ５２１が設けられている。このクランプねじ５２１は可動部材２４をベース２１に対して固定するものである。
また、２つの側面のうち第１のジョー２２Ａ，２２Ｂ側の側面５３には可動部材２４を移動させるための操作部５３１が設けられている。この操作部５３１は、レバー５３２と、このレバー５３２をベース２１の長手方向に沿って移動させるレール５３３とを備えている。このレール５３３は、側面５３を切り欠いて形成されている。レバー５３２をレール５３３の基端側（ベース２１側）に移動させると、可動部材２４がベース２１の基端側に移動する。また、このレバー５３２をレール５３３の先端側に移動させると、可動部材２４がベース２１の先端側に移動する。
【００２６】
次に、図５のフローチャート及び図６から図１２を用いてこのようなカラット重量測定器１を用いた測定方法について説明する。
まず、Ｓｅｌｅｃｔ／Ｃａｎｃｅｌスイッチ５１２を押し、宝石１００の比重を選択する（Ｓ１）。
宝石の比重は宝石の種類によって異なるため、カラット重量測定器１では、宝石の種類を選択することにより宝石の比重を選択する構成となっている。図６に示すように、表示部４には、ＤＡ、ＥＭ、ＡＬ、ＣＲの宝石の種類を示す文字が表示され、Ｓｅｌｅｃｔ／Ｃａｎｃｅｌスイッチ５１２を押すごとに、ＤＡ、ＥＭ、ＡＬ、ＣＲの文字が順に点滅する。Ｆｕｎｃｔｉｏｎ／Ｅｎｔｅｒスイッチ５１１を押し、宝石の種類を決定することで、比重が確定する。
本実施形態では、宝石１００はダイアモンドであるため、ＤＡ（比重３．５２）を選択する。
【００２７】
再度、Ｓｅｌｅｃｔ／Ｃａｎｃｅｌスイッチ５１２を押し、宝石１００のカット係数を選択する（Ｓ２）。
このとき図７に示すように、宝石のカットの種類を示す６種類のピクトグラムが表示部４に表示され、Ｓｅｌｅｃｔ／Ｃａｎｃｅｌスイッチ５１２を押すごとに、ピクトグラムが順に点滅する。Ｆｕｎｃｔｉｏｎ／Ｅｎｔｅｒスイッチ５１１を押すことで、宝石１００のカットが決定され、これによりカット係数が確定する。本実施形態では、宝石１００は、ラウンドブリリアントカットであるため、黒丸のピクトグラム（カット係数０．００１７３３）を選択する。
【００２８】
次に、宝石１００の大きさ寸法の測定を行う（Ｓ３）。
第１のジョー２２Ａ，２２Ｂで宝石１００のガードル部１０３を挟み込み、第１の径Ｗを測定する。同様の方法で第２の径Ｌを測定する。
さらに、第２のジョー２３Ａ，２３Ｂを用いて宝石１００の深さ寸法Ｄを測定する。図８に示すように、第２のジョー２３Ｂの先端部に設けられたピン２３１Ｂを宝石１００のリング１１０の底面に形成された孔（図示略）に挿入し、宝石１００のパビリオン部１０２に当接させる。また、第２のジョー２３Ａの先端部に設けられたピン２３１Ａを宝石１００のクラウン部１０１に当接させる。これにより宝石１００の深さ寸法Ｄが測定される。
この際、図９に示すように、各測定結果は表示部４にデジタル表示される。Ｆｕｎｃｔｉｏｎ／Ｅｎｔｅｒスイッチ５１１を押すと測定値が確定する。すると、演算手段３３により演算が行われ（Ｓ４）、図１０に示すように演算結果が表示部４に表示される（Ｓ５）。
本実施形態では、Ｗ＝６．４０ｍｍ、Ｌ＝６．４２ｍｍ、Ｄ＝４．００ｍｍであり、１．００ｃｔとなる。
【００２９】
次に、算出されたカラット重量の値が補正が必要かどうか目視で判断する（Ｓ６）。
補正が必要な場合には、Ｓｅｌｅｃｔ／Ｃａｎｃｅｌスイッチ５１２を押し、さらに、Ｆｕｎｃｔｉｏｎ／Ｅｎｔｅｒスイッチ５１１を押す。これにより表示部４には、図１１に示すように−２％、３％、５％、８％の補正値が表示され、補正値を選択できるようになる（Ｓ７）。
Ｓｅｌｅｃｔ／Ｃａｎｃｅｌスイッチ５１２を押すごとに、補正値が順に点滅する。Ｆｕｎｃｔｉｏｎ／Ｅｎｔｅｒスイッチ５１１を押すと補正値が確定する。
これにより演算結果に補正が行われ（Ｓ８）、図１２に示すように、表示部４に補正後のカラット重量値が表示される（Ｓ９）。
本実施形態では補正値３％を選択したので、補正後のカラット重量は１．０３ｃｔとなる。
【００３０】
従って、本実施形態によれば、以下の効果を奏することができる。
宝石１００の寸法の測定と、カラット重量の計算との二つの操作をカラット重量測定器１で行うことができる。そのため、ゲージ等で宝石１００の大きさ寸法を測定した後、換算表を用いてカラット重量を算出する従来の方法に比べ、作業性の向上を図ることができる。
また、従来のようにカラット換算表による換算を行う必要がないので、換算表への測定値の入れ間違いや計算ミスが防止でき、得られたカラット重量の値の信頼性を向上させることができる。
【００３１】
カラット重量測定器１は、第１のジョー２２Ａ，２２Ｂが設けられており、この第１のジョー２２Ａ，２２Ｂで宝石１００のガードル部１０３を挟み込んで第１の径Ｗ及び第２の径Ｌを測定することができるので、正確な測定を行うことが可能である。また、第２のジョー２３Ｂの先端部のピン２３１Ｂをリング１１０の孔に挿入し、第２のジョー２３Ａの先端部のピン２３１Ａを宝石１００のクラウン部１０１に当接させることで、宝石１００がリング１１０等の台座に取り付けられている場合であっても、宝石１００の深さ寸法Ｄを正確に測定することが可能となる。このように、先端部にピン２３１Ａ，２３１Ｂが設けられた第２のジョー２３Ａ，２３Ｂと第１のジョー２２Ａ，２２Ｂとを有しているので、リング１１０等の台座に取り付けられている宝石１００のカラット重量を高い精度で測定することができる。
【００３２】
演算部３は記憶手段３１を有し、この記憶手段３１には、予め複数種類の宝石の比重等を記憶させている。そのため、カラット重量測定器１を複数種類の宝石の測定に使用することができ、カラット重量測定器１の利便性を向上させることができる。
【００３３】
さらに、より正確なカラット重量を測定するには、宝石１００のカット状態を考慮してカラット重量を算出する必要がある。本実施形態では、補正値選択手段３５及び補正手段３６を設けることで、算出されるカラット重量の値の信頼性をさらに向上させることができる。
また、記憶手段３４には、複数の補正値が予め入力されているので、補正値入力の入力の手間を省くことができ、カラット重量測定器１の使いやすさを向上させることができる。
【００３４】
宝石１００のカット係数選択の際に、表示部４には宝石のカット形状を示すピクトグラムが表示される。これにより測定者は宝石１００のカットの種類を容易に判別することができ、カラット重量の測定が行いやすくなる。
また、ケース５の側面５３に可動部材２４の操作部５３１を設けたため、一方の手でケース５を把持しながら、可動部材２４の移動を行うことが可能となる。そのため、他方の手で宝石１００を固定させることができるので、宝石１００の大きさ寸法の測定が行いやすくなる
さらに、本実施形態では、ケース５に表示部４が形成されているので、測定結果をすぐに確認し把握することができる。
【００３５】
なお、本発明は前述の実施形態に限定されるものではなく、本発明の目的を達成できる範囲での変形、改良等は本発明に含まれるものである。
例えば、前記実施形態では、ケース５の側面５３の操作部５３１は、レバー５３２と、レール５３３を有する構成としたが、これに限らず、例えば、操作部は、押圧ローラ等であってもよい。
また、操作部５３１は設けられていなくてもよく、直接可動部材２４を手で動かしてもよい。
【００３６】
さらに、前記実施形態では、記憶手段３４、３１に補正値や、宝石の比重等を記憶させたが、記憶手段３４，３１はなくてもよい。この場合、補正値や宝石１００の比重とを測定する度に入力すればよい。このようにすれば、入力の手間がかかるものの、構成部品の点数を削減することができ、カラット重量測定器を安価なものとすることができる。
また、正確なカラット重量の算出が要求されない場合には、補正手段３６は設けられていなくてもよい。補正手段３６を省くことでカラット重量測定器を安価なものとすることができる。
【００３７】
前記実施形態では、ケース５の中に演算部３及び測定部２の検出手段２５が収納されているとしたが、これらはケース５内に収納されていなくてもよ。例えば、演算部３をパソコン等に設け、宝石１００の大きさ寸法の測定結果をパソコンに送信し、演算部３により演算するものとしてもよい。
また、前記実施形態では、表示部４は液晶の画面であるとしたが、これに限らず、紙等に打ち出して表示するものであってもよい。また、演算結果は表示部４に表示されるだけでなく、演算結果を信号として外部へ出力できるようにしてもよい。
【００３８】
【発明の効果】
このような本発明によれば、作業性を向上させることができるカラット重量測定器を提供できるという効果がある。
【図面の簡単な説明】
【図１】本発明の実施形態にかかるカラット重量測定器を示す斜視図である。
【図２】宝石の平面図である。
【図３】宝石を示す正面図である。
【図４】前記カラット重量測定器を示すブロック図である。
【図５】前記カラット重量測定器を用いた測定手順を示すフローチャートである。
【図６】前記カラット重量測定器の表示部の表示状態を示す図である。
【図７】前記カラット重量測定器の表示部の表示状態を示す図である。
【図８】宝石の深さ寸法の測定方法を示す図である。
【図９】前記カラット重量測定器の表示部の表示状態を示す図である。
【図１０】前記カラット重量測定器の表示部の表示状態を示す図である。
【図１１】前記カラット重量測定器の表示部の表示状態を示す図である。
【図１２】前記カラット重量測定器の表示部の表示状態を示す図である。
【符号の説明】
１　　　　　　カラット重量測定器
２　　　　　　測定部
３　　　　　　演算部
４　　　　　　表示部
５　　　　　　ケース
２１　　　　　　ベース
２２Ａ，２２Ｂ　第１のジョー
２３Ａ，２３Ｂ　第２のジョー
２４　　　可動部材
２５　　　検出手段
３１　　　記憶手段
３２　　　選択手段
３３　　　演算手段
３４　　　記憶手段
３５　　　補正値選択手段
３６　　　補正手段
５２　　　側面
１００　　　宝石
１０１　　　クラウン部
１０２　　　パビリオン部
１０３　　　ガードル部
２３１Ａ，２３１Ｂ　　　ピン
５３１　　　操作部
【図１】
2004101426.tif 000003
【図２】
2004101426.tif 000004
【図３】
2004101426.tif 000005
【図４】
2004101426.tif 000006
【図５】
2004101426.tif 000007
【図６】
2004101426.tif 000008
【図７】
2004101426.tif 000009
【図８】
2004101426.tif 000010
【図９】
2004101426.tif 000011
【図１０】
2004101426.tif 000012
【図１１】
2004101426.tif 000013
【図１２】
2004101426.tif 000014